(57)【要約】  野球用捕球具の使用者が容易に指を通すことが可能であり、使用中に違和感や痛みを感じることのない野球用捕球具を提供する。本発明に係る野球用捕球具は、先端（２３ａ）及び付け根（２３ｂ）を有する内指袋（２３）を含む内袋（２）と、外指袋（１１）を含む外袋（１）を備えている。外指袋（１１）は内側に向かって突出している凸状接合部（１２）を有している。内指袋（２３）は、付け根（２３ｂ）の側から前記先端（２３ａ）の側に向かって切り抜き（２２ｂ）が形成された側面片（２２ａ）と、切り抜き（２２ｂ）を覆うように側面片（２２ａ）に接合された背面片（２２ｃ）と含んでいる。内指袋（２３）では側面片（２２ａ）及び背面片（２２ｃ）により凸状接合部（１２）に対向する位置に段差（２２ｄ）が形成され、段差（２２ｄ）は凸状接合部（１２）と係合可能とされている。
2017094881.tif 000002
【特許請求の範囲】
【請求項１】
先端及び付け根を有する内指袋を含む内袋と、
外指袋を含む外袋を備え、
前記外指袋は内側に向かって突出している凸状接合部を有し、
前記内指袋は、前記付け根の側から前記先端の側に向かって切り抜きが形成された側面片と、前記切り抜きを覆うように前記側面片に接合された背面片と含み、
前記内指袋では前記側面片及び前記背面片により前記凸状接合部に対向する位置に段差が形成され、
前記段差は前記凸状接合部と係合可能である、野球用捕球具。
【請求項２】
前記凸状接合部の数は、前記外指袋の１つに対して１であり、
前記背面片は、前記側面片の内側に接合されている、請求項１記載の野球用捕球具。
【請求項３】
前記凸状接合部の数は、前記外指袋の１つに対して２であり、
前記背面片は、前記側面片の外側に接合されている、請求項１記載の野球用捕球具。
【請求項４】
前記背面片は前記側面片よりも柔らかい、請求項１記載の野球用捕球具。
【請求項５】
前記切り抜きは、前記先端まで形成されている、請求項１記載の野球用捕球具。
【請求項６】
前記切り抜きは、前記付け根の側から５０ｍｍの位置まで形成されている、請求項１記載の野球用捕球具。
【請求項７】
前記切り抜きは、前記付け根の側から１０ｍｍの位置まで形成されている、請求項１記載の野球用捕球具。
【発明の詳細な説明】
【技術分野】
【０００１】
本発明は、野球用捕球具、特に野球用グラブに関する。
【背景技術】
【０００２】
従来から、野球用グラブは、内指袋を有する内袋を、外指袋を有する外袋に挿入した構成を有していた。外指袋は、通常複数枚の皮革部材を重ね合わせたうえで縫着して形成する。そのため、複数枚の皮革が縫着される部分は外指袋の内側に向かって突出する突起状の部分となる。【０００３】
内指袋を有する内袋は、通常、掌部分と掌部分の上部に延設する指部分を有する表面部材を含んでいる。また、背面部材が、指部分の背面を覆うように、表面部材に接合されている。かかる背面部材は、複数の部材を縫着することにより形成する場合もある（例えば実公平６−２３３１７号公報（特許文献１））。特許文献１記載の野球用グラブは、内袋の内指袋の背面部材を、背面片及び背面片の両側に縫合された側面片により形成している。
【先行技術文献】
【特許文献】
【０００４】
【特許文献１】実公平６−２３３１７号公報
【発明の概要】
【発明が解決しようとする課題】
【０００５】
１つの部材で内指袋の背面部材を形成する場合、背面部材を大きく湾曲させる必要がある。そのため、内指袋の高さが高く出る部分が形成される。そのため、外指袋の内側に突出した突起状の部分が、内指袋の背面部材を圧迫する。【０００６】
これに加え、従来の野球用グラブにおいては、内指袋は、外指袋に固定されていない。そのため、野球グラブの使用中に、内指袋と外指袋の相対的な位置がずれてしまう。従って、外指袋の内側に突出した突起状の部分が内指袋の背面部材を圧迫することの影響により、内指袋が外指袋中において横に傾く、内指袋が変形するなど、内指袋の形状が安定しなくなる。したがって、従来の野球用グラブにおいては、使用者が内指袋に指を通すことが困難になる場合があった。【０００７】
さらに、従来の野球用グラブにおいては、外指袋内側に存在する突起状の部分が、内指袋の背面部材を圧迫する。その結果、かかる突起状の部分が、内指袋の背面部材を介して、野球グラブの使用者の指を圧迫してしまう。このような圧迫は、野球グラブ使用者に使用中の違和感や痛みを与えてしまう場合があった。【０００８】
特許文献１記載の野球用グラブにおいては、内指袋の背面部材を、背面片及び側面片により形成している。そのため、特許文献１記載の野球用グラブは、内指袋の高さが高く出る部分が形成されるとの問題を解消できる。しかしながら、特許文献１記載の野球用グラブは、内指袋を外指袋に固定するための対策が、何ら講じられていない。したがって、特許文献１記載の野球用グラブは、使用者が内指袋に指を通すことが困難になるとの問題点を解消しうるものではない。また、特許文献１記載の野球用グラブは、外指袋内側に存在する突起状の部分により、使用者が違和感や痛みを感じるとの問題についても、対策を講じていない。【０００９】
本発明は、従来技術のかかる問題点に鑑みてなされたものであり、具体的には、野球用捕球具の使用者が容易に指を通すことが可能であり、使用中に違和感や痛みを感じることのない野球用捕球具を提供することを目的とする。
【課題を解決するための手段】
【００１０】
本発明に係る野球用捕球具は、先端及び付け根を有する内指袋を含む内袋と、外指袋を含む外袋を備え、前記外指袋は内側に向かって突出している凸状接合部を有し、前記内指袋は、前記付け根の側から前記先端の側に向かって切り抜きが形成された側面片と、前記切り抜きを覆うように前記側面片に接合された背面片と含み、前記内指袋では前記側面片及び前記背面片により前記凸状接合部に対向する位置に段差が形成され、前記段差は前記凸状接合部と係合可能である。【００１１】
本発明に係る野球用捕球具は、側面片及び背面片により形成された段差と外指袋内側の凸状接合部が対向しているため、外指袋の内側に向かって突出している凸状接合部が段差と係合した状態となる。そのため、凸状接合部が内指袋を過剰に変形させることがない。したがって、本発明に係る野球用捕球具は、使用者に違和感や痛みを与えにくい。また、本発明に係る野球用捕球具は、内指袋が側面片と背面片により形成された段差が凸状接合部と係合しているため、内指袋と外指袋相互の位置が変化しにくい。そのため、内指袋が外指袋内で横に倒れてしまうことを抑制することができる。
【発明の効果】
【００１２】
本発明に係る野球用捕球具によると、野球用捕球具の使用者が容易に指を通すことが可能であり、使用中に違和感や痛みを感じることのない野球用捕球具を提供することができる。
【図面の簡単な説明】
【００１３】
【図１】第１の実施形態に係る野球用グラブの外観を示す図である。
【図２】第１の実施形態に係る野球用グラブの内袋の外観を示す図である。
【図３】第１の実施形態に係る野球用グラブの指袋部分の断面図である。
【図４】比較例に係る野球用グラブの指袋部分の断面図である。
【図５】第２の実施形態に係る野球用グラブの外観を示す図である。
【図６】第２の実施形態に係る野球用グラブの内袋の外観を示す図である。
【図７】第２の実施形態に係る野球用グラブの指袋部分の断面図である。
【図８】第２の実施形態の変形例に係る野球用グラブの指袋部分の断面図である。
【発明を実施するための形態】
【００１４】
（第１の実施形態）
以下、第１の実施形態について図を参照して説明する。なお、各図中同一または相当部分には同一符号を付している。また、以下に記載する実施の形態の少なくとも一部を任意に組み合わせてもよい。
【００１５】
［第１の実施形態に係る野球用グラブの全体構造］
まず、第１の実施形態に係る野球用グラブの全体構造を以下に説明する。図１は、第１の実施形態に係る野球用グラブの外観を示す図である。図２は、第１の実施形態に係る野球用グラブの内袋の外観を示す図である。
【００１６】
第１の実施形態に係る野球用グラブは、図１及び図２に示すように、外袋１及び内袋２を備えている。外袋１は、好ましくは、皮革材料により形成されている。皮革材料としては、例えば、天然皮革、合成皮革などが用いられる。なお、外袋１の捕球面には、図示しない外袋貫通穴が形成されている。
【００１７】
また、図１に示すように、外袋１は、外指袋１１を有している。外指袋１１は使用者の親指、人差し指、中指、薬指及び小指に対応する位置に設けられている。各々の外指袋１１は、複数の皮革材料を接合して形成されている。複数の皮革材料が接合されている部分には、凸状接合部１２が形成されている。凸状接合部１２は、好ましくは、複数の皮革部材をスペーサを挟んで重ね合わせ、重ね合わせた部分を縫着などにより接合して形成される。第１の実施形態においては、外指袋１１の指甲側に形成される凸状接合部１２は、外指袋１１中央付近の１箇所である。
【００１８】
図２に示すように、内袋２は表面部材２１及び裏面部材２２を有している。表面部材２１は、掌部分２１ａと掌部分の上方に延設する指部分２１ｂを含んでいる。なお、表面部材２１には、内袋貫通穴２４が形成されている。裏面部材２２は、表面部材２１の指部分２１ｂに縫着などの方法により接合されている。これにより、内指袋２３が形成されている。内指袋２３は、先端２３ａ及び付け根２３ｂを有している。裏面部材２２は、切り抜き２２ｂを有する側面片２２ａ及び切り抜き２２ｂを覆うように側面片２２ａに縫着などにより接合されている背面片２２ｃを含んでいる。
【００１９】
全ての内指袋２３が側面片２２ａ及び背面片２２ｃを用いて形成される必要はない。例えば、人差し指、中指及び薬指に対応する内指袋２３は、側面片２２ａ及び背面片２２ｃを用いて形成し、親指及び小指に対応する内指袋２３は、それぞれ１つの裏面部材を用いて形成してもよい。
【００２０】
図２に示すように、切り抜き２２ｂは、内指袋２３の付け根２３ｂ側から先端２３ａ側に向かって形成されている。切り抜き２２ｂは、内指袋２３の先端２３ａ付近まで設けられてもよい。また、切り抜き２２ｂは、内指袋２３の付け根２３ｂから５０ｍｍの距離の位置まで設けられていてもよい。さらに、切り抜き２２ｂは、内指袋２３の付け根２３ｂから１０ｍｍの距離の位置まで設けられていてもよい。
【００２１】
第１の実施形態に係る野球用グラブにおいては、背面片２２ｃは側面片２２ａの内側に接合されている。その結果、側面片２２ａと背面片２２ｃの間には、内指袋２３の内側に向かって陥没する段差２２ｄ（図３参照）が形成されることになる。
【００２２】
表面部材２１、裏面部材２２は、好ましくは、皮革材料により形成されている。皮革材料としては、天然皮革、合成皮革などが用いられる。また、好ましくは、側面片２２ａと背面片２２ｃは、異なる材料で構成されている。さらに、好ましくは、背面片２２ｃを構成する材料は、側面片２２ａを構成する材料よりも柔らかい材料で構成されている。なお、側面片２２ａと背面片２２ｃの柔らかさは、ＩＳＯ−１７２３５に記載された方法に準拠して測定される。加えて、好ましくは、背面片２２ｃの厚さは、側面片２２ａの厚さよりも薄い。
【００２３】
内袋２は、内指袋２３を外指袋１１に挿入することにより、外袋１内部に挿入される。内袋２は、外袋１の内部に挿入された状態で、内袋貫通穴２４と外袋貫通穴に紐状の部材を通し、それを結ぶことによって、外袋１に固定される。
【００２４】
［第１の実施形態に係る野球用グラブの指袋の構造］
次に、第１の実施形態に係る野球用グラブの指袋の詳細構造について以下に説明する。図３は、第１の実施形態に係る野球用グラブの指袋部分の断面図である。図３に示すように、凸状接合部１２は、外指袋１１の内側に突出している。
【００２５】
図３に示すように、内指袋２３は、側面片２２ａ、背面片２２ｃ及び指部分２１ｂを含んでいる。側面片２２ａと背面片２２ｃとの接合部には、段差２２ｄが形成されている。段差２２ｄは、凸状接合部１２に対向する位置に配置されている。また、段差２２ｄは、内指袋２３の内側に向かって陥没している。そのため、段差２２ｄは、凸状接合部１２と係合可能となっている。なお、段差２２ｄが凸状接合部１２と係合可能となっている場合には、図３のように段差２２ｄと凸状接合部１２の間に空間がある場合のみならず、段差２２ｄと凸状接合部１２が互いに密着し嵌合している場合も含む。
【００２６】
凸状接合部１２において外指袋１１を構成する皮革部材により挟まれた中間部材の厚みｔ１は、たとえば１．２ｍｍ以上２．５ｍｍ以下であってもよい。厚みｔ１の下限は１．６ｍｍでもよい。厚みｔ１の上限は２．１ｍｍでもよい。また、外指袋１１を構成する皮革部材の厚みｔ２は１．２ｍｍ以上２．３ｍｍ以下であってもよい。厚みｔ２の下限は１．６ｍｍでもよい。厚みｔ２の上限は１．９ｍｍでもよい。
【００２７】
凸状接合部１２の幅Ｗ１は、たとえば３．６ｍｍ以上７．１ｍｍ以下であってもよい。幅Ｗ１の下限は４．８ｍｍでもよい。幅Ｗ１の上限は５．９ｍｍであってもよい。図３における背面片２２ｃでは、両端部に側面片２２ａとの接合部が形成されている。このため、背面片２２ｃの両端部には段差２２ｄが形成されている。外指袋１１の延びる方向に垂直な方向において、背面片２２ｃの両端に位置する段差２２ｄの間の距離である係合幅Ｗ２は、たとえば３．５ｍｍ以上７．２ｍｍ以下であってもよい。係合幅Ｗ２の下限は３．６ｍｍでもよく、４．７ｍｍでもよく、４．８ｍｍでもよい。係合幅Ｗ２の上限は、７．１ｍｍでもよく、６．０ｍｍでもよく、５．９ｍｍでもよい。係合幅Ｗ２は、凸状接合部１２の幅Ｗ１と実質的に同じでもよいし、当該幅Ｗ１より大きくてもよい。
【００２８】
［第１の実施形態に係る野球用グラブの効果］
続いて、第１の実施形態に係る野球用グラブの効果を、比較例と対比することにより、以下に説明する。
【００２９】
比較例に係る野球用グラブも、第１の実施形態に係る野球用グラブと同様に、外指袋１１を有する外袋１及び内指袋２３を有する内袋２を備えており、内袋２は外袋１に挿入される。図４は、比較例に係る野球用グラブの指袋の断面構造を示す図である。図４に示すように、比較例に係る野球用グラブにおける外指袋１１は、第１の実施形態に係る野球用グラブにおける外指袋１１と同様に、外指袋１１の内側に向かって突出している凸状接合部１２を含んでいる。
【００３０】
図４に示すように、内指袋２３は、表面部材２１及び裏面部材２２により形成される。しかしながら、裏面部材２２は、１つの部材で形成されているため、内指袋２３を形成するために、裏面部材２２を大きく湾曲させる必要がある。その結果、内指袋２３の高さが高くなってしまう。したがって、比較例に係る野球用グラブの内指袋２３は、内袋２を外袋１に挿入した際に、凸状接合部１２に圧迫されることにより変形してしまう。また、内指袋２３と外指袋１１にその位置関係を規制する部材が存在しない。そのため、内指袋２３の外指袋１１に対する位置が、外指袋内で変化してしまう。以上のことから、内指袋２３の裏面部材２２が、凸状接合部１２の影響により、傾いてしまう。以上から、比較例に係る野球用グラブにおいては、野球用グラブの使用者が、内指袋２３に指を入れることが困難となる。
【００３１】
また、比較例に係る野球用グラブにおいては、内指袋２３が変形することにより、凸状接合部１２が内指袋２３を介して野球用グラブの使用者の指を圧迫する。そのため、比較例に係る野球用グラブは使用者に違和感や痛みを与えてしまう。
【００３２】
他方、第１の実施形態に係る野球用グラブにおいては、内指袋２３は、裏面部材２２が側面片２２ａと背面片２２ｃという複数の部材により形成されている。そのため、第１の実施形態に係る野球用グラブにおいては、内指袋２３の高さが高くなりにくい。また、第１の実施形態に係る野球用グラブにおいては、段差２２ｄが、凸状接合部１２と係合可能となっている。これにより、内袋２を外袋１に挿入した際、内指袋２３の外指袋１１に対する位置が変わりにくい。そのため、第１の実施形態に係る野球用グラブにおいては、比較例に係る野球用グラブとは異なり、内指袋２３が凸状接合部１２の影響により傾きにくくなる。
【００３３】
加えて、第１の実施形態に係る野球用グラブにおいては、内指袋２３は、内側に向かって陥没する段差２２ｄを、凸状接合部１２と対向する位置に含んでいる。そのため、第１の実施形態に係る野球用グラブにおいては、比較例に係る野球用グラブとは異なり、内指袋２３が凸状接合部１２に押圧されて潰れたように変形しにくい。その結果、凸状接合部１２が内指袋２３を介して使用者の指を圧迫しがたくなる。
【００３４】
以上から、第１の実施形態に係る野球用グラブにおいては、使用者は容易に指を内指袋２３に入れることができ、痛みや違和感を感じにくい。
【００３５】
なお、切り抜き２２ｂが内指袋２３の先端付近まで設けられている場合、内指袋２３の外指袋１１への挿入が、段差２２ｄ及び凸状接合部１２によってガイドされる。そのため、かかる場合には、内袋２の外袋１への挿入が容易となる。また、切り抜き２２ｂが内指袋２３の付け根２３ｂから５０ｍｍの距離の位置まで設けられている場合、使用者は指入れ時に違和感、痛み等を感じにくい。さらに、また、切り抜き２２ｂが内指袋２３の付け根２３ｂから１０ｍｍの距離の位置まで設けられている場合、凸状接合部１２により内指袋２３の付け根２３ｂの形が崩れてしまうことを抑制できる。
【００３６】
（第２の実施形態）
以下、第２の実施形態について図を参照して説明する。なお、ここでは、上記の第１の実施形態に係る野球用グラブと異なる点について主に説明する。
【００３７】
［第２の実施形態に係る野球用グラブの全体構造］
まず、第２の実施形態に係る野球用グラブの全体構造を以下に説明する。図５は、第２の実施形態に係る野球用グラブの外観を示す図である。図６は、第２の実施形態に係る野球用グラブの内袋の外観を示す図である。
【００３８】
図５及び図６に示すように、第２の実施形態に係る野球用グラブは、外袋１及び内袋２を備えている点、外袋１が外指袋１１を有している点、及び内袋２が内指袋２３を有している点において第１の実施形態に係る野球用グラブと共通している。
【００３９】
しかしながら、第２の実施形態に係る野球用グラブは、外指袋１１の指甲側に形成される凸状接合部１２が、１つの外指袋１１あたり２か所に形成されている点において、第１の実施形態に係る野球用グラブと異なっている。また、第２の実施形態に係る野球用グラブは、図７に示すように、背面片２２ｃが側面片２２ａの外側に接合されている点、及び段差２２ｄが内指袋２３の指甲側の幅方向中央から側方に向かうにつれて指部分２１ｂに向けて下がるような階段状の断面形状を有している点において、第１の実施形態に係る野球用グラブと異なっている。
【００４０】
［第２の実施形態に係る野球用グラブの指袋の構造］
次に、第２の実施形態に係る野球用グラブの指袋の詳細構造について以下に説明する。図７は、第２の実施形態に係る野球用グラブの指袋の断面構造を示す図である。図７に示すように、第２の実施形態においては、第１の実施形態と異なり、凸状接合部１２は外指袋１１の指甲側において、２か所形成されている。
【００４１】
図７に示すように、段差２２ｄは、凸状接合部１２に対向する位置に配置されている。第２の実施形態においては、第１の実施形態と異なり、段差２２ｄは、内指袋２３の側面に面する端面を有するように隆起している。また、段差２２ｄは、２か所ある凸状接合部１２の間に配置される。そのため、内指袋２３と外指袋１１が係合可能となっている。図７の２つの凸状接合部１２の間の距離Ｗ３は、背面片２２ｃの幅Ｗ４（あるいは背面片２２ｃの両端に位置する段差２２ｄ間の距離とも呼ぶ）と実質的に同じでもよいし、幅Ｗ４より大きくてもよい。
【００４２】
なお、図８に示すように、背面片２２ｃを側面片２２ａの内側に接合することにより段差２２ｄを内指袋２３の内側に向かって陥没するように形成するとともに、背面片２２ｃの幅を２カ所に形成された凸状接合部１２の間隔よりも広くしてもよい。異なる観点から言えば、外指袋１１の延びる方向に垂直な方向において、背面片２２ｃの両端に位置する段差２２ｄの間の距離である係合幅Ｗ２は、２つの凸状接合部１２の外周側面の間の距離Ｗ５と実質的に同じでもよいし、当該幅Ｗ５より大きくてもよい。これにより、２つの段差２２ｄにより凸状接合部１２を挟むようにして、外指袋１１と内指袋２３を係合可能とすることができる。
［第２の実施形態に係る野球用グラブの効果］
続いて、第２の実施形態に係る野球用グラブの効果を以下に説明する。
【００４３】
第２の実施形態に係る野球用グラブにおいては、内指袋２３が複数の部材、すなわち側面片２２ａ及び背面片２２ｃから形成されるため、内指袋２３の高さが高くならない。また、外指袋１１の凸状接合部１２と内指袋２３の段差２２ｄが係合可能となっているため、外指袋１１と内指袋２３の位置が相互に変化しにくい。さらに、凸状接合部１２と段差２２ｄが対向する位置にあるため、内指袋２３が凸状接合部１２により押圧されず変形しにくい。そのため、凸状接合部１２が内指袋２３を介して使用者の指を圧迫しにくい。その結果、第２の実施形態においても、使用者は容易に指を内指袋２３に入れることができ、痛みや違和感を感じにくい。
【００４４】
今回開示された実施形態はすべての点で例示であって、制限的なものではないと考えられるべきである。本発明の範囲は上記した実施の形態ではなく請求の範囲によって示され、請求の範囲と均等の意味、および範囲内でのすべての変更が含まれることが意図される。
【符号の説明】
【００４５】
１  外袋、１１  外指袋、１２  凸状接合部、２  内袋、２１  表面部材、２２  裏面部材、２２ａ  側面片、２２ｂ  切り抜き、２２ｃ  背面片、２２ｄ  段差、２３  内指袋、２３ａ  先端、２３ｂ  付け根、２４  内袋貫通穴
【図１】
2017094881.tif 000003
【図２】
2017094881.tif 000004
【図３】
2017094881.tif 000005
【図４】
2017094881.tif 000006
【図５】
2017094881.tif 000007
【図６】
2017094881.tif 000008
【図７】
2017094881.tif 000009
【図８】
2017094881.tif 000010
【国際調査報告】
2017094881.tif 000011
2017094881.tif 000012
2017094881.tif 000013
2017094881.tif 000014